(57)【要約】【課題】コイルの伸張作業性を改善できると共に、架設後にケーブル支持ピッチを一定間隔に保持してケーブルを固定可能なコイルの伸張装置を提供する。【解決手段】ケーブル架設用コイル２０を、支持線３０に沿わせて伸張させるために使用する伸張装置であり、大径のコイル導入部１１と小径のコイル導出部１３とをテーパー部１２で挟んで長さ方向に連続的に形成した筒状体１０を、軸方向に開閉可能に、かつこの筒状体１０の内部に支持線３０およびケーブル４０を挿通したコイル３０を収納可能に構成すると共に、筒状体１０の外部に、これを支持線３０に沿ってコイル導入部１１方向へ牽引する牽引手段５０を設けたことを特徴とする。【選択図】  図３
2004236410.tif 000002
【特許請求の範囲】
【請求項１】
連続螺旋状に形成された伸縮自在のケーブル架設用コイルを、予め張設された支持線または既設ケーブルラインに沿わせて伸張させるために使用するケーブル架設用コイルの伸張装置であって、大径のコイル導入部と小径のコイル導出部とを、大径側から小径側へと径を徐々に狭めたテーパー部で挟んで長さ方向に連続的に形成した筒状体を、軸方向に開閉可能に、かつこの筒状体の内部に前記支持線およびケーブルを挿通したケーブル架設用コイルを収納可能に構成すると共に、前記筒状体の外部に、この筒状体を前記支持線または既設ケーブルラインに沿って前記コイル導入部方向へ牽引する牽引手段を設けたことを特徴とするケーブル架設用コイルの伸張装置。
【請求項２】
前記コイル導出部の長さを、前記テーパー部とコイル導入部の合計長さよりも大きく構成したことを特徴とする請求項１に記載のケーブル架設用コイルの伸張装置。
【請求項３】
少なくとも前記コイル導入部の内側に中空支持部材を設け、この中空支持部材の中空部に前記支持線または既設ケーブルラインを挿通し、外周部に前記ケーブル架設用コイルを保持するように構成したことを特徴とする請求項１または２に記載のケーブル架設用コイルの伸張装置。
【発明の詳細な説明】
【０００１】
【発明の属する技術分野】
本発明は、電子・通信用ケーブルの架設作業において、ケーブル延線用吊具およびケーブル固定用吊具として機能するケーブル架設用コイルを、支持線（メッセンジャーワイヤ）または既設ケーブルラインに沿って伸張させるために使用する伸張装置に関し、さらに詳しくは、既にケーブルが架設された既設ケーブルラインにおけるケーブル延線用治具をケーブル架設用コイルの使用に置き換えて一束化を進める工事や、既設ケーブルラインの上にさらに新規なケーブルを架設しようとする工事におけるケーブル架設用コイルの伸張作業性を著しく改善できると共に、架設後にケーブル支持ピッチを一定間隔に保持してケーブルを支持固定することを可能としたケーブル架設用コイルの伸張装置に関するものである。
【０００２】
【従来の技術】
一般に、電子・通信用ケーブルを架設する場合には、電柱間に支持線としてメッセンジャーワイヤを張設し、この支持線にケーブルハンガー等の金属製吊具を５０〜１００ｃｍの間隔で１個ずつ取り付けながら、電子・通信用ケーブルを並列に懸架させるようにして架設作業していた。
【０００３】
また、既設のケーブルラインに対しさらにケーブルの増設が必要となった場合は、既設の支持線の電柱間長手方向の数カ所に、ケーブル延線用治具として金車と称される滑車を吊り下げ、次いでこれらの滑車に電子・通信用ケーブルを案内させながら支持線と平行に仮架設し、続いて仮架設されたケーブルを支持線に対して順次５０〜１００ｃｍの間隔で宙乗り移動しながらケーブルハンガー等の金属製吊具の中に固定するか、もしくは大型のケーブルハンガー等に置き換えながら、滑車を取り外すようにして架設作業を行っていた。
【０００４】
しかしながら、このようなケーブル増設工事は、作業者が重い金属製吊具を多数保持しつつ、支持線の長手方向にそって順次５０〜１００ｃｍの間隔で宙乗り移動しながら取り付けていくものであり、しかもこの吊具の取り付け作業を高所で行うため、多大の時間と労力を要し、かなりの熟練を要する危険な作業であった。
【０００５】
そこで最近では、上記の問題を解決した工具として、樹脂と金属線からなる複合線状体を連続螺旋状に成形した伸縮自在のコイルからなるチェーンコイル並びにフレックステンダーと称されるケーブル架設用コイルが開発され、実用に供されつつある。
【０００６】
すなわち、これらのケーブル架設用コイルを使用する場合には、予め電柱間に張設した支持線に沿わせて、ケーブルと共にケーブル架設用コイルを伸張させるだけの一度の操作により、支持線に対してこれらケーブル架設用コイルのループを介してケーブルを一定間隔に懸架することができ、またケーブルを懸架した後は、これらのコイルをそのままケーブル固定用吊具として使用することができるため、従来の金属製吊具等のケーブル延線用治具を用いた架設作業が不要になると共に、従来のケーブル架設作業の場合のように、金属製吊具を１個ずつ取り付けていく作業が簡略化されることになり、多大な労力の削減と時間の短縮が達成されるばかりか、ケーブル架設作業性が著しく改善できるようになったのである。
【０００７】
しかるに、上記ケーブル架設用コイルは、ケーブルの新設工事を行なう場合には、一度の伸張操作で工事を遂行可能となるため、極めて威力が発揮され工事を効率よく実施できることが確認されているが、既にケーブルがハンガー等を用いて敷設された既設ケーブルラインにおいて、金属製吊具をケーブル架設用コイルに置き換える工事を行おうとする場合には、既設ケーブルの重さが抵抗となるため、伸張するコイル状支持材のピッチが揃わなかったり、部分締め上げの現象となったりするという問題があった。
【０００８】
このような場合に、単純にケーブル架設用コイルのピッチを揃えながら延線するための治具として、ケーブル架設用コイルを内側に保持するようにした筒状体を軸方向に開閉可能に構成すると共に、筒状体の後端部に口径を徐々に狭めた吐出部を設け、吐出部よりも前端側に牽引手段を設けたケーブル架設用コイルの延伸装置（例えば、特許文献１参照）が提案されている。
【０００９】
しかるに、上記の延伸装置は、ケーブルの新設工事または既設ケーブルラインにおいてコイル径の小さいものから大きなものへの入れ替え工事を主たる目的として使用するものであり、既設ケーブルがハンガーで吊り線に掛けられている状態やラッシングロッドで吊り線に固定されている場合を想定した既設ケーブルラインへの新規ケーブルの増設作業への適用については、何ら考慮されたものではなかった。
【００１０】
さらに、上記の延伸装置において、伸縮自在の合成樹脂製連続螺旋状コイルからなるケーブル架設用コイルを使用する場合には、一定の展開ピッチが得られにくいという欠点があった。つまり、上記の延伸装置は、コイルの置き換えに主眼が置かれているため、既設ケーブルの重さの影響や新規にかけられるケーブル架設用コイルのピッチ安定性については、さらなる改善が必要であった。
【００１１】
したがって、このような問題を改良したケーブル架設用コイルの伸張装置の開発が待ち望まれていた。特に今後の工事においては、既設ケーブルラインをケーブル架設用コイルの使用に置き換えて一束化を進めたり、既設ケーブルラインの上からさらに新規にケーブルを増設したりする工事の需要が増加するものと考えられることから、改善装置の開発は急務な状況にある。
【００１２】
【特許文献１】
特開２０００−２７８８２９号公報
【００１３】
【発明が解決しようとする課題】
本発明は、上述した従来技術における問題点の解決を課題として検討した結果達成されたものである。
【００１４】
したがって、本発明の目的は、既設ケーブルラインにおけるケーブル延線用治具をケーブル架設用コイルの使用に置き換えて一束化を進める工事や、既設ケーブルラインの上にさらに新規なケーブルを架設しようとする工事におけるケーブル架設用コイルの伸張作業性を著しく改善できると共に、架設後にケーブル支持ピッチを一定間隔に保持してケーブルを固定することを可能としたケーブル架設用コイルの伸張装置を提供することにある。
【００１５】
【課題を解決するための手段】
上記目的を達成するために、本発明のケーブル架設用コイルの伸張装置は、連続螺旋状に形成された伸縮自在のケーブル架設用コイルを、予め張設された支持線または既設ケーブルラインに沿わせて伸張させるために使用するケーブル架設用コイルの伸張装置であって、大径のコイル導入部と小径のコイル導出部とを、大径側から小径側へと径を徐々に狭めたテーパー部で挟んで長さ方向に連続的に形成した筒状体を、軸方向に開閉可能に、かつこの筒状体の内部に前記支持線およびケーブルを挿通したケーブル架設用コイルを収納可能に構成すると共に、前記筒状体の外部に、この筒状体を前記支持線または既設ケーブルラインに沿って前記コイル導入部方向へ牽引する牽引手段を設けたことを特徴とする。
【００１６】
本発明のケーブル架設用コイルの伸張装置においては、
前記コイル導出部の長さを、前記テーパー部とコイル導入部の合計長さよりも大きく構成したこと、および
少なくとも前記コイル導入部の内側に中空支持部材を設け、この中空支持部材の中空部に前記支持線または既設ケーブルラインを挿通し、外周部に前記ケーブル架設用コイルを保持するように構成したこと
が、いずれも好ましい条件であり、これらの条件を適用した場合にはさらに優れた効果の発現を期待することができる。
【００１７】
【発明の実施の形態】
以下、図面にしたがって、本発明のケーブル架設用コイルの伸張装置の実施形態について具体的に説明する。
【００１８】
図１は本発明のケーブル架設用コイルの伸張装置の第一実施例を示す側面図、図２は図１の伸張装置を開放した状態を示す平面図、図３は図１の伸張装置を使用して支持線に対しケーブル架設用コイルを伸張する作業を示す正面図、図４は本発明のケーブル架設用コイルの伸張装置の第二実施例を示す側面図、図５は図４の伸張装置を使用して既設ケーブルラインに対しケーブル架設用コイルを伸張する作業を示す正面図である。
【００１９】
本発明のケーブル架設用コイルの伸張装置の第一実施例は、図１に示すように、大径のコイル導入部１１と小径のコイル導出部１３とを、大径側から小径側へと径を徐々に狭めたテーパー部１２で挟んで長さ方向に連続的に形成した筒状体１０からなる。
【００２０】
そして、筒状体１０は、留め具１６を開放した場合には、図２に示したように、蝶番１５を介して分割部１４から軸方向に開閉可能となっており、この開放状態の筒状体１０の内部に支持線およびケーブルに挿通したケーブル架設用コイルを収納し、再度蝶番１５を介して分割部１４を閉止し、留め具１６を合体させることにより、図３に示したように、支持線３０または既設ケーブルライン４０に懸架されるように構成されている。
【００２１】
また、筒状体１０の外部には、この筒状体１０を支持線３０または既設ケーブルラインに沿ってコイル導入部１１方向へ牽引する牽引手段としてのフック１７が取り付けられている。
【００２２】
次に、上記の伸張装置を使用して、ケーブル架設用コイル２０（以下、コイル２０と呼ぶ）の伸張作業を行なう態様について、図３にしたがって説明する。なお、図３の態様は、支持線３０に対し、コイル２０を使用して新たにケーブル４０を架設する作業を示している。
【００２３】
図３に示したように、まず支持線３０およびケーブル４０を挿通したコイル２０を、コイル導入部１１に挿入し、コイル導出部１３から引き出したコイル２０の先端を、支持線３０に設けたクランプ２１に固定すると共に、ケーブル４０の先端側を、支持線３０上に設けた滑車２２から吊り下げたフック２３に自在継手２４を介して連結したクランプ２５に固定する。また、ケーブル４０の他端側は、支持線３０に吊り下げたハンガー２７に懸架させておく。
【００２４】
次いで、フック１７および２３にリング５１を介して連結した牽引ロープ５０を矢印方向に牽引することにより、筒状体１０を支持線３０に沿ってコイル導入部１１方向へ移動させれば、コイル２０はコイル導出部１３から一定のピッチとなるように導出されて、支持線３０に懸架され、かつケーブル４０を吊り固定した状態となる。
【００２５】
ここで、コイル２０は、非伸張時のコイル径とほぼ等しい大径のコイル導入部１１で一旦保持され、テーパー部１２を通過しながらコイルピッチが伸びると共に、コイル外径が絞られていく。そして、伸張時のコイル径とほぼ等しい小径のコイル導出部１３により、最終外径が決定されて、一定張力で等ピッチに排出されることになる。
【００２６】
この場合に、小径のコイル導出部１３が存在しない場合には、テーパー部１２の最小径で排出されることになり、コイル２０の収縮力によりピッチに弛みが生じるため、コイルピッチが必ずしも一定にならないという欠点が発生することになる。したがって、コイル導出部１３は、伸張されたコイル２０のピッチを一定間隔に保持するために欠くことができない存在であり、その長さはテーパー部１２とコイル導入部１１の合計長さよりも大きく構成されていることが好ましいといえる。
【００２７】
また、コイル２０の伸張作業に際しては、常に一定の張力でコイル２０が牽引伸張される訳ではないため、張力の強弱が発生する場合があるが、例え張力が変動したとしても、小径のコイル導出部１３が牽引張力の変動を吸収する働きをし、その長さを適正化することにより、より均一なコイル外径並びにコイルピッチを得ることができる。
【００２８】
例えば、既設ケーブルラインを一束化する為に、既設のハンガー等の吊り具をコイルに置き換える工事を実施する場合には、作業者が既設のハンガーを宙乗りにて外しながら、コイルをその後ろから挿入・伸張していく作業を実施することになり、作業者は、既設ハンガーを宙乗り状態で止まっては外し、その後一定間隔移動するといった作業を繰り返すことになるが、このような作業では、後部に伸張展開されるコイルが、作業者と同様に停止と移動を繰り返すことになって、停止の際にコイルに掛かる張力が一旦ゆるむ形となるため、コイル径が増大してコイルピッチは短縮の方向に変化することになるという欠点があった。そして、この作業を繰り返した場合には、コイルピッチが電柱間で必ずしも一定にならず、延び縮みが発生することになっていた。ただし、コイルピッチの自由度が大きい場合には、比較的問題にはならないが、既設ケーブルの重みが加わると作業者の停止位置ではコイルピッチが狭くなり、作業者の移動位置ではコイルピッチが広くなって、コイルピッチの不揃いは一層顕著な傾向になるため、牽引張力の変動に対する対策が重要視されていた。
【００２９】
これに対し、本発明のコイルの伸張装置によれば、小径のコイル導出部１３を後段に一定長さで備えることにより、発生するであろう張力の変動を平準化することができるため、上記のような従来生じていた問題点を解決することが可能となるのである。
【００３０】
次に、図４および図５に示した本発明のケーブル架設用コイルの伸張装置の第二実施例は、コイル導入部１１の内側に中空支持部材１８を設け、この中空支持部材１８の中空部に支持線３０または既設ケーブルラインを挿通し、外周部にケーブル架設用コイル２０を保持するように構成した点が、上述した第一実施例と相違している。
【００３１】
なお、図４および図５における符号１８ａは中空支持部材１８の一端に設けたフックを、符号１８ｂは中空支持部材１８のの他端に設けたケーブル固定部である。
【００３２】
そして、図５の態様は、ラッシングロッド２８で固定された既設ケーブルライン４１の上からラッシングロッド２８を取り外すことなく、コイル２０を用いて、新規ケーブル４２を増設する作業を示している。
【００３３】
このような作業の場合は、既設ラッシングロッド２８の端末が飛び出していることが多いことから、コイル２０を既設ラッシングロッド２８の上に直接挿入し展開する場合には、ラッシングロッド２８の飛び出し部分とコイル２０の先端がからんで延線の障害となるため、既設ケーブルライン４１に、ラッシングロッド２８の上から全体を覆うように中空支持部材１８をかぶせ、この中空支持部材１８をコイル展開装置に先行しし走行させることが有効となる。
【００３４】
したがって、図５に示したように、支持線３０に懸架した既設ケーブルライン４１を中空支持部材１８に挿入すると共に、新規ケーブル４２を挿通したコイル２０をコイル導入部１１に挿入し、次いでコイル導出部１３から引き出したコイル２０の先端を支持線３０に設けたクランプ２１に固定し、新規ケーブル４２の先端側を中空支持部材１８に設けたケーブル固定部１８ｂに自在継手２４を介して連結したクランプ２５に固定すると共に、新規ケーブル４２の他端を支持線３０に吊り下げたハンガー２７に懸架さた状態で、フック１７および中空支持部材１８に設けたフック１８ａにリング５１を介して連結した牽引ロープ５０を矢印方向に牽引することにより、筒状体１０を支持線３０および既設ケーブルライン４１に沿ってコイル導入部１１方向へ移動させれば、コイル２０はコイル導出部１３から一定のピッチとなるように導出されて、既設ケーブルライン４１と同様に支持線３０に懸架され、かつ新規ケーブル４２を吊り固定した状態となる。
【００３５】
つまり、中空支持部材１８は、既設ラッシングロッド２８の端部跳ね上がりを押さえると共に、新規ケーブル４２を牽引するために機能するため、本第二実施例によれば、中空支持部材１８でラッシングロッド２８の全体を押さえ、その上でコイル２０を一定コイル径で展開しながら新規ケーブル４２を直接増設したり、または新規ケーブル４２を牽引するロープを挿入する作業の遂行が可能となるのである。
【００３６】
将来、電柱の支障移設が計画されている場合や、更なるケーブル増設が計画されている場合は、本第二実施例と同じ工法にてラッシングロッドを取り外しながら連続螺旋状コイルを展開していけば、各種の変更に対応可能な多条架設ラインが完成することになる。
【００３７】
そして、本第二実施例のコイルの伸張装置を使用し、既設ラッシングロッドにさわることなく新規ケーブルを増設することにより、工事時間の大幅な短縮、並びに高所作業の削減を図ることが可能となる。
【００３８】
本発明のコイルの伸張装置における筒状体部分は、市販の塩ビパイプやアルミパイプ等の円筒を使用して、コイル導入部１１、テーパー部１２およびコイル導出部１３を接続した後、半割に加工することにより製作することが可能である。コイル導入部１１、テーパー部１２およびコイル導出部１３の各部分の外径は、使用するコイル２０の外径並びに施工後の目標とする外径を基準として設定すればよい。通常のケーブル敷設においては、仕上がりコイル外径が６０ｍｍ近辺が最も一般的である。
【００３９】
コイルの伸張装置における筒状体１０の各部外径は、今後の施工計画で決定すればよいが、各部の長さは次の関係で決定すればよい。
【００４０】
まず、コイル導入部１１の長さは、非伸張時のコイル外径の１／５〜１／３の長さ、つまりコイルを小径に絞りこんでいってもコイルが踊ることなく保持可能な長さから選択されるのが好ましいが、この部分の長さが更に長くても特に問題はない。
【００４１】
テーパー部１２の長さは、非伸張時のコイル外径の１／３〜１／１の長さが好ましく、あまり急激なテーパーを設計することは、コイルへの損傷を招く恐れがあるため好ましくない。テーパー部１２の長さが上記の範囲よりも長くても問題はないが、架空工事にはコンパクトでかつ軽量な工具が求められていることから、上記の長さ範囲が適当といえる。
【００４２】
コイル導出部１３の長さは、コイル敷設時の１ピッチ以上の長さが好適であり、２００ｍｍ〜４００ｍｍの長さが、一般的なコイル仕上がり外径の点から好ましい範囲といえる。
【００４３】
また、本発明のコイルの伸張装置は、架空で伸ばしたコイルの外周に被せる形でセットする必要があるため、筒状体１０の半割状態を確実に閉塞するには、留め具１６としてパッチン錠やフェルール等を使用することが好ましい。
【００４４】
本発明のコイルの伸張装置を牽引する方法としては、筒状体１０のテーパー部１２以降のコイル導出部１３、つまり伸張装置全体の中央部分位置近辺に牽引のポイントを設定するのが好ましい。牽引位置を伸張装置の前部に設定すると、装着した未展開部分のコイルに力がかかって、コイルが踊りやすく不安定となり、また牽引位置を最後尾近くに設定すると、装置の前部が張力のバランスにより持ち上がる形で不安定となるため、いずれも好ましくない。
【００４５】
【発明の効果】
以上説明したように、本発明のケーブル架設用コイルの伸張装置によれば、これをケーブル架設用治具として新設ケーブルの敷設あるいは既設ケーブルラインでのケーブル増設に使用することにより、支持線としてのメッセンジャーワイヤに対して連続螺旋状コイルのループを介してケーブルを牽引すると共に、このケーブルを一定間隔に懸架することができると共に、この連続螺旋状コイルをそのままケーブル固定用吊具として使用することができる。
【００４６】
したがって、ケーブル架設用治具として従来使用していた金車による仮架設作業が不要になると共に、従来のケーブル架設のように、金属製吊具を宙乗り作業やバケット車で１個ずつ取り付ける作業が簡略化することができ、さらには、長い径間のケーブルを一度の牽引作業で仮設できることとなり、架設時間と労力を大幅に短縮かつ軽減して、ケーブル架設作業性を著しく向上することができる。また、本発明のケーブル架設用コイルの伸張装置は、既設ケーブルラインのラッシングロッドを連続螺旋状コイルに置き換えたり、あるいは既設ケーブルラインの上から新規ケーブルを増設したりするための工事にとって特に有用であり、各種工事の多様性に適合することができる。
【図面の簡単な説明】
【図１】図１は本発明のケーブル架設用コイルの伸張装置の第一実施例を示す側面図である。
【図２】図２は図１の伸張装置を開放した状態を示す平面図である。
【図３】図３は図１の伸張装置を使用して支持線に対しケーブル架設用コイルを伸張する作業を示す正面図である。
【図４】図４は本発明のケーブル架設用コイルの伸張装置の第二実施例を示す側面図である。
【図５】図５は図４の伸張装置を使用して既設ケーブルラインに対しケーブル架設用コイルを伸張する作業を示す正面図である。
【符号の説明】
１０    筒状体
１１    コイル導入部
１２    テーパー部
１３    コイル導出部
１４    分割部
１５    蝶番
１６    留め具
１７    フック
１８    中空支持部材
１８ａ  フック
１８ｂ  ケーブル固定部
２０    コイル
２１    クランプ
２２    滑車
２３    フック
２４    自在継手
２５    クランプ
２７    ハンガー
２８    ラッシングロッド
３０    支持線（メッセンジャーワイヤ）
４０    ケーブル
４１    既設ケーブルライン
４２    新設ケーブル
５０    牽引ロープ
５１    リング
【図１】
2004236410.tif 000003
【図２】
2004236410.tif 000004
【図３】
2004236410.tif 000005
【図４】
2004236410.tif 000006
【図５】
2004236410.tif 000007